(57)【特許請求の範囲】
【請求項１】
対物レンズを介して励起光が照射されることにより蛍光を発生する物体を観察する観察システムであって、
前記対物レンズの光軸と直交する面に配列された複数のホールであって、前記励起光を前記光軸と平行な方向に沿って通過させる複数のホールが設けられたホールユニットと、
前記蛍光を結像する撮像レンズと、前記撮像レンズの光軸と直交する面に複数のマイクロレンズが配列されたマイクロレンズアレイと、前記マイクロレンズアレイから出射した前記蛍光を受光し、受光した前記蛍光の強度に応じた画像信号を出力する複数の画素が配列された撮像素子とを有し、前記複数のホールの少なくとも１つ及び前記対物レンズを通過した前記励起光が前記物体に照射されることにより発生した前記蛍光を、前記対物レンズ及び前記複数のホールの少なくとも１つを介して受光し、画像信号を出力する撮像部と、
を備え、
前記複数のホールは、各ホールを通過する前記励起光のビーム径が前記光軸方向において最小となる位置であるピンホール位置が互いに異なる複数種類のホールを含み、
前記複数のマイクロレンズの各々は、前記撮像レンズを介して入射した前記蛍光を当該マイクロレンズに対する入射方向に応じた方向に出射し、
前記撮像部は、受光した前記蛍光を、該蛍光が通過したホールの前記対物レンズの光軸と直交する面における配置に応じて分離し、分離した蛍光ごとに画像信号を出力する、
ことを特徴とする観察システム。
【請求項５】
前記ホールユニットは、
前記複数のホールが前記直交する面に配列されたピンホールアレイと、
前記励起光を前記複数のホールの各々に順次入射させるガルバノミラーと、
を備え、
前記複数のホールの各々の前記ピンホール位置に応じた深さに、板状の遮光部材に貫通孔が設けられたピンホール部材が配置されている、
ことを特徴とする請求項１に記載の観察システム。
【請求項６】
前記ホールユニットは、
前記複数のホールが前記直交する面に配列されたピンホールアレイと、
前記励起光を前記複数のホールの各々に順次入射させるガルバノミラーと、
を備え、
前記複数のホールの各々に、前記ピンホール位置に応じた屈折率を有する光学部材が充填されている、
ことを特徴とする請求項１に記載の観察システム。
【請求項７】
前記ホールユニットは、
円盤状をなし、前記複数のホールが主面に配列されたニポウディスクと、
前記ニポウディスクを前記光軸と平行な軸回りに回転させる駆動手段と、
を備え、
前記複数のホールの各々に、前記ピンホール位置に応じた屈折率を有する光学部材が充填されている、
ことを特徴とする請求項１に記載の観察システム。
【請求項８】
前記ホールユニットは、
円盤状をなし、前記複数のホールが主面に設けられたニポウディスクと、
円盤状をなし、前記ニポウディスクの主面と平行に配置されたレンズ配列面を有し、前記複数のホールに向けて前記励起光をそれぞれ集光する複数のレンズが前記レンズ配列面に設けられたレンズアレイディスクと、
前記ニポウディスク及び前記レンズアレイディスクを互いに同期させ、前記光軸と平行な軸回りに回転させる駆動手段と、
を備え、
前記複数のホールの各々の前記ピンホール位置に応じた深さに、板状の遮光部材に貫通孔が設けられたピンホール部材が配置されている、
ことを特徴とする請求項１に記載の観察システム。
【請求項９】
前記複数のレンズの各々は、前記励起光を集光するホールにおける前記ピンホール位置に応じた屈折率を有する光学部材により形成されている、ことを特徴とする請求項８に記載の観察システム。
【請求項１０】
前記ホールユニットは、
前記複数のホールが前記直交する面に配列されたピンホールアレイと、
前記励起光を、前記複数のホールのうちの一部の複数のホールに入射させるデジタルミラーデバイスと、
を備え、
前記複数のホールの各々の前記ピンホール位置に応じた深さに、板状の遮光部材に貫通孔が設けられたピンホール部材が配置され、
前記デジタルミラーデバイスは、前記励起光を入射させる前記一部の複数のホールを順次変更する、
ことを特徴とする請求項１に記載の観察システム。
【請求項１１】
前記ホールユニットは、
前記複数のホールが前記直交する面に配列されたピンホールアレイと、
前記励起光を、前記複数のホールのうちの一部の複数のホールに入射させるデジタルミラーデバイスと、
を備え、
前記複数のホールの各々に、前記ピンホール位置に応じた屈折率を有する光学部材が充填され、
前記デジタルミラーデバイスは、前記励起光を入射させる前記一部の複数のホールを順次変更する、
ことを特徴とする請求項１に記載の観察システム。
【請求項１２】
パルス周期がフェムト秒以下である超短パルスのレーザ光を出射するレーザ光源と、
前記レーザ光源が出射した前記レーザ光から前記励起光を抽出すると共に、前記物体の方向から前記対物レンズ及び前記複数のホールの少なくとも１つを介して入射した光から前記蛍光を抽出する蛍光ユニットと、
をさらに備える、ことを特徴とする請求項１，５〜１１のいずれか１項に記載の観察システム。
【請求項１７】
対物レンズを介して励起光が照射されることにより蛍光を発生する物体を観察する観察システムにおいて実行される観察方法であって、
前記対物レンズの光軸と直交する面に配列され、前記励起光が前記光軸と平行な方向に沿って通過可能な複数のホールの少なくとも１つ及び前記対物レンズを介して、前記励起光を前記物体に照射する照射ステップと、
前記励起光が前記物体に照射されることにより発生した前記蛍光を、前記対物レンズ及び前記複数のホールの少なくとも１つを介して受光し、画像信号を出力する撮像ステップと、
を含み、
前記複数のホールは、各ホールを通過する前記励起光のビーム径が前記光軸方向において最小となる位置であるピンホール位置が互いに異なる複数種類のホールを含み、
前記撮像ステップは、撮像レンズの光軸と直交する面に配列された複数のマイクロレンズであって、各々が前記撮像レンズを介して入射した前記蛍光を当該マイクロレンズに対する入射方向に応じた方向に出射する複数のマイクロレンズを有するマイクロレンズアレイから出射した前記蛍光を、受光した前記蛍光の強度に応じた画像信号を出力する複数の画素が配列された撮像素子により受光し、受光した前記蛍光を、該蛍光が通過したホールの前記対物レンズの光軸と直交する面における配置に応じて分離し、分離した蛍光ごとに画像信号を出力する、
ことを特徴とする観察方法。
【請求項１８】
前記撮像ステップにおいて出力された前記画像信号に基づいて、互いに異なる複数のピンホール位置にそれぞれ対応する複数の画像を作成する画像処理ステップをさらに含む、ことを特徴とする請求項１７に記載の観察方法。
【発明の詳細な説明】
【技術分野】
【０００１】
本発明は、励起光が照射されることにより蛍光を発生する物体を観察する観察システム、該観察システムにおいて用いられる光学部品、及び観察方法に関する。
【背景技術】
【０００２】
従来、試料に励起光を照射することにより発生した蛍光を観察する蛍光観察法が知られている。蛍光観察法においては、生体の細胞等の試料を蛍光物質によって染色し、この蛍光物質から発生した蛍光を検出することにより、試料を分子レベルで観察することができる。【０００３】
また、対物レンズの物体側の焦点面と共役な面（共焦点面）にピンホールを配置し、物体面からの蛍光、即ち、合焦している蛍光のみを検出して画像を生成する共焦点観察法も知られている。例えば特許文献１には、３次元測定のサイクルタイム毎の休止期間中に対物レンズの焦点位置を焦点方向における指定されたＺ位置にシフトさせ、このＺ位置での試料のスライス画像を表示する共焦点顕微鏡システムが開示されている。【０００４】
近年では、ニポウディスクと呼ばれる複数のピンホールが配列された円盤状の部材を照明光の光路に挿入し、光路と直交する面内においてニポウディスクを回転させることにより、ピンホールを通過した照明光を複数点において同時に試料に照射する方式の観察装置も知られている。例えば特許文献２には、分解能と視野の明るさとを両立するために、径が互いに異なる２種類のピンホールを配列したニポウディスクを備える共焦点光スキャナ検出装置が開示されている。また、特許文献３には、径が異なる複数種類のピンホールがそれぞれ形成された複数のホールユニットを照明光の光路に対して挿脱することによりピンホールの径を変化させる共焦点光スキャナが開示されている。
【先行技術文献】
【特許文献】
【０００５】
【特許文献１】特開２００６−３５０００５号公報
【特許文献２】特開２００８−２３３５４３号公報
【特許文献３】特開２０１１−８５７５９号公報
【発明の概要】
【発明が解決しようとする課題】
【０００６】
上記特許文献１〜３においては、試料の厚み方向（Ｚ方向）における複数の焦点面に関する画像情報を取得する場合、対物レンズ又は試料が載置されたステージをＺ方向に沿って移動させて撮像を行うという動作を繰り返し行う必要がある。そのため、試料が生体である場合、対物レンズ又はステージを移動させる間に試料が動いてしまい、試料の所望の部分（ＸＹ座標）における３次元的な画像情報を精度良く取得することが困難である。【０００７】
本発明は、上記に鑑みてなされたものであり、試料の所望の部分における３次元的な画像情報を精度良く取得することができる観察システム、光学部品、及び観察方法を提供することを目的とする。
【課題を解決するための手段】
【０００８】
上述した課題を解決し、目的を達成するために、本発明に係る観察システムは、対物レンズを介して励起光が照射されることにより蛍光を発生する物体を観察する観察システムであって、前記対物レンズの光軸と直交する面に配列された複数のホールであって、前記励起光を前記光軸と平行な方向に沿って通過させる複数のホールが設けられたホールユニットと、前記複数のホールの少なくとも１つ及び前記対物レンズを通過した前記励起光が前記物体に照射されることにより発生した前記蛍光を、前記対物レンズ及び前記複数のホールの少なくとも１つを介して受光し、画像信号を出力する撮像部と、を備え、前記複数のホールは、各ホールを通過する前記励起光のビーム径が前記光軸方向において最小となる位置であるピンホール位置が互いに異なる複数種類のホールを含み、前記撮像部は、受光した前記蛍光を、該蛍光が通過したホールの前記直交する面における配置に応じて分離し、分離した蛍光ごとに画像信号を出力する、ことを特徴とする。【０００９】
上記観察システムは、前記撮像部から出力された前記画像信号に基づいて、互いに異なる複数のピンホール位置にそれぞれ対応する複数の画像を作成する画像処理装置をさらに備える、ことを特徴とする。【００１０】
上記観察システムにおいて、前記画像処理装置は、前記複数のピンホール位置の共役面に対応する複数の画像を作成する、ことを特徴とする。【００１１】
上記観察システムにおいて、前記撮像部は、前記蛍光を結像する撮像レンズと、前記撮像レンズの光軸と直交する面に複数のマイクロレンズが配列されたマイクロレンズアレイと、前記マイクロレンズアレイから出射した前記蛍光を受光し、受光した前記蛍光の強度に応じた画像信号を出力する複数の画素が配列された撮像素子と、を備え、前記複数のマイクロレンズの各々は、前記撮像レンズを介して入射した前記蛍光を当該マイクロレンズに対する入射方向に応じた方向に出射する、ことを特徴とする。【００１２】
上記観察システムにおいて、前記ホールユニットは、前記複数のホールが前記直交する面に配列されたピンホールアレイと、前記励起光を前記複数のホールの各々に順次入射させるガルバノミラーと、を備え、前記複数のホールの各々の前記ピンホール位置に応じた深さに、板状の遮光部材に貫通孔が設けられたピンホール部材が配置されている、ことを特徴とする。【００１３】
上記観察システムにおいて、前記ホールユニットは、前記複数のホールが前記直交する面に配列されたピンホールアレイと、前記励起光を前記複数のホールの各々に順次入射させるガルバノミラーと、を備え、前記複数のホールの各々に、前記ピンホール位置に応じた屈折率を有する光学部材が充填されている、ことを特徴とする。【００１４】
上記観察システムにおいて、前記ホールユニットは、円盤状をなし、前記複数のホールが主面に配列されたニポウディスクと、前記ニポウディスクを前記光軸と平行な軸回りに回転させる駆動手段と、を備え、前記複数のホールの各々に、前記ピンホール位置に応じた屈折率を有する光学部材が充填されている、ことを特徴とする。【００１５】
上記観察システムにおいて、前記ホールユニットは、円盤状をなし、前記複数のホールが主面に設けられたニポウディスクと、円盤状をなし、前記ニポウディスクの主面と平行に配置されたレンズ配列面を有し、前記複数のホールに向けて前記励起光をそれぞれ集光する複数のレンズが前記レンズ配列面に設けられたレンズアレイディスクと、前記ニポウディスク及び前記レンズアレイディスクを互いに同期させ、前記光軸と平行な軸回りに回転させる駆動手段と、を備え、前記複数のホールの各々の前記ピンホール位置に応じた深さに、板状の遮光部材に貫通孔が設けられたピンホール部材が配置されている、ことを特徴とする。【００１６】
上記観察システムにおいて、前記複数のレンズの各々は、前記励起光を集光するホールにおける前記ピンホール位置に応じた屈折率を有する光学部材により形成されている、ことを特徴とする。【００１７】
上記観察システムにおいて、前記ホールユニットは、前記複数のホールが前記直交する面に配列されたピンホールアレイと、前記励起光を、前記複数のホールのうちの一部の複数のホールに入射させるデジタルミラーデバイスと、を備え、前記複数のホールの各々の前記ピンホール位置に応じた深さに、板状の遮光部材に貫通孔が設けられたピンホール部材が配置され、前記デジタルミラーデバイスは、前記励起光を入射させる前記一部の複数のホールを順次変更する、ことを特徴とする。【００１８】
上記観察システムにおいて、前記ホールユニットは、前記複数のホールが前記直交する面に配列されたピンホールアレイと、前記励起光を、前記複数のホールのうちの一部の複数のホールに入射させるデジタルミラーデバイスと、を備え、前記複数のホールの各々に、前記ピンホール位置に応じた屈折率を有する光学部材が充填され、前記デジタルミラーデバイスは、前記励起光を入射させる前記一部の複数のホールを順次変更する、ことを特徴とする。【００１９】
上記観察システムは、パルス周期がフェムト秒以下である超短パルスのレーザ光を出射するレーザ光源と、前記レーザ光源が出射した前記レーザ光から前記励起光を抽出すると共に、前記物体の方向から前記対物レンズ及び前記複数のホールの少なくとも１つを介して入射した光から前記蛍光を抽出する蛍光ユニットと、をさらに備えることを特徴とする。【００２０】
本発明に係る光学部品は、励起光が照射されることにより蛍光を発生する物体を観察する観察システムにおいて用いられる光学部品であって、同一面に複数のホールが形成された基材と、板状の遮光部材に貫通孔が設けられたピンホール部材であって、前記複数のホールの各々に配置されたピンホール部材と、を備え、前記ピンホール部材は、当該ピンホール部材が配置されるホールの前記基材における位置に応じて、前記基材の厚み方向における互いに異なる複数の位置のいずれかに配置されている、ことを特徴とする。【００２１】
本発明に係る光学部品は、励起光が照射されることにより蛍光を発生する物体を観察する観察システムにおいて用いられる光学部品であって、同一面に複数のホールが形成された基材と、前記複数のホールの各々に充填された光学部材と、を備え、前記光学部材は、当該光学部材が配置されるホールの前記基材における位置に応じて、屈折率が互いに異なる複数種類の材料のいずれかによって形成されている、ことを特徴とする。【００２２】
本発明に係る光学部品は、励起光が照射されることにより蛍光を発生する物体を観察する観察システムにおいて用いられる光学部品であって、円盤状をなし、同一面に複数のホールが形成された基材と、前記複数のホールの各々に充填された光学部材と、を備え、前記光学部材は、当該光学部材が配置されるホールの前記基材における位置に応じて、屈折率が互いに異なる複数種類の材料のいずれかによって形成されている、ことを特徴とする。【００２３】
本発明に係る光学部品は、励起光が照射されることにより蛍光を発生する物体を観察する観察システムにおいて用いられる光学部品であって、円盤状をなし、同一面に第１群のホールが形成された第１の基材と、板状の遮光部材に貫通孔が設けられたピンホール部材であって、前記第１群のホールの各々に配置されたピンホール部材と、円盤状をなし、前記第１の基材と平行に配置され、前記第１群のホールと対向する位置に第２群のホールがそれぞれ形成された第２の基材と、前記第２群のホールの各々に配置されたレンズと、を備え、前記ピンホール部材は、当該ピンホール部材が配置されるホールの前記第１の基材における位置に応じて、前記第１の基材の厚み方向における互いに異なる複数の位置のいずれかに配置され、前記レンズは、当該レンズが配置されるホールと対向する前記ピンホール部材の前記第１の基材の厚み方向における位置に応じた焦点距離を有する、ことを特徴とする。【００２４】
本発明に係る観察方法は、対物レンズを介して励起光が照射されることにより蛍光を発生する物体を観察する観察システムにおいて実行される観察方法であって、前記対物レンズの光軸と直交する面に配列され、前記励起光が前記光軸と平行な方向に沿って通過可能な複数のホールの少なくとも１つ及び前記対物レンズを介して、前記励起光を前記物体に照射する照射ステップと、前記励起光が前記物体に照射されることにより発生した前記蛍光を、前記対物レンズ及び前記複数のホールの少なくとも１つを介して受光し、画像信号を出力する撮像ステップと、を含み、前記複数のホールは、各ホールを通過する前記励起光のビーム径が前記光軸方向において最小となる位置であるピンホール位置が互いに異なる複数種類のホールを含み、前記撮像ステップは、受光した前記蛍光を、該蛍光が通過したホールの前記直交する面における配置に応じて分離し、分離した蛍光ごとに画像信号を出力する、ことを特徴とする。【００２５】
上記観察方法は、前記撮像ステップにおいて出力された前記画像信号に基づいて、互いに異なる複数のピンホール位置にそれぞれ対応する複数の画像を作成する画像処理ステップをさらに含む、ことを特徴とする。
【発明の効果】
【００２６】
本発明によれば、励起光が物体に照射されることにより発生し、ピンホール位置が異なる複数種類のホールの少なくとも１つを通過して撮像部に入射した蛍光を、該蛍光が通過したホールの配置に応じて分離し、分離した蛍光ごとに画像信号を出力するので、試料の所望の部分における３次元的な画像情報を精度良く取得することが可能となる。
【図面の簡単な説明】
【００２７】
【図１】図１は、本発明の実施の形態１に係る観察システムの構成例を示す模式図である。
【図２】図２は、図１に示すピンホールアレイの構造を示す一部断面斜視図である。
【図３】図３は、図１に示す撮像部の構成例を示す模式図である。
【図４】図４は、図１に示す画像処理装置の動作を示すフローチャートである。
【図５】図５は、図３に示す撮像部から出力された画像信号に基づく画像データによって表される画像領域を示す模式図である。
【図６】図６は、距離マップに格納される被写体距離を説明するための模式図である。
【図７】図７は、リフォーカス面の画像の作成方法を説明するための模式図である。
【図８】図８は、リフォーカス面をユーザに選択させる画面の一例を示す模式図である。
【図９】図９は、本発明の実施の形態１の変形例に係るピンホールアレイの構造を示す模式図である。
【図１０】図１０は、本発明の実施の形態２に係る観察システムの構成を示す模式図である。
【図１１】図１１は、図１０に示すニポウディスクの構造を示す模式図である。
【図１２】図１２は、本発明の実施の形態３に係る観察システムの構成を示す模式図である。
【図１３】図１３は、図１２に示すマイクロレンズアレイの構造を示す模式図である。
【図１４】図１４は、図１２に示すニポウディスクの構造を示す模式図である。
【図１５】図１５は、本発明の実施の形態４に係る観察システムの構成を示す模式図である。
【図１６】図１６は、本発明の実施の形態５に係る内視鏡システムの構成例を示す模式図である。
【発明を実施するための形態】
【００２８】
以下、本発明に係る観察システム、光学部品、及び観察方法の実施の形態について、図面を参照しながら詳細に説明する。各図面の記載において、同一部分には同一の符号を附して示している。
【００２９】
（実施の形態１）
図１は、本発明の実施の形態１に係る観察システムの構成例を示す模式図である。図１に示すように、実施の形態１に係る観察システム１は、特定の波長帯域の成分を有する励起光が照射されることにより蛍光を発生する試料ＳＰの画像を作成するシステムであって、試料ＳＰに関する画像信号を生成して出力する顕微鏡システム１０と、顕微鏡システム１０から出力された画像信号に対して各種処理を行う画像処理装置１７と、表示装置１８とを備える。
【００３０】
顕微鏡システム１０は、レーザ光を発生するレーザ光源１１と、レーザ光から上記励起光を抽出すると共に、試料ＳＰの方から戻ってくる光から蛍光を抽出する蛍光ユニット１２と、励起光及び蛍光を順次通過させる複数のホール１３４が設けられたホールユニット１３と、励起光を集光して試料ＳＰに照射すると共に、試料ＳＰにおいて発生した蛍光を集光する対物レンズ１４と、試料ＳＰが載置されるステージ１５と、蛍光ユニット１２により抽出された蛍光の像を撮像する撮像部１６とを備える。以下においては、対物レンズ１４の光軸方向をＺ方向とし、該光軸Ｚと直交する平面をＸＹ平面とする。
【００３１】
レーザ光源１１は、試料ＳＰを励起可能な特定の波長帯域の成分（励起光）を含むレーザ光Ｌ１を発生する。後述するように、実施の形態１においては、レーザ光Ｌ１から抽出された励起光によってホール１３４を順次走査するため、レーザ光源１１としては、パルス周期がフェムト秒以下である超短パルスレーザ光源を用いることが好ましい。レーザ光源１１は、後述する画像処理装置１７が備える制御部１７６の制御に従って、所定のパルス周期でレーザ光を出射する。
【００３２】
蛍光ユニット１２は、レーザ光源１１の方向から入射するレーザ光Ｌ１のうち、励起光を含む成分を通過させると共に、ホールユニット１３の方向から入射する光のうち、蛍光を含む成分を撮像部１６の方向に反射するダイクロイックミラー１２１と、ダイクロイックミラー１２１を通過した成分から励起光Ｌ２を選択的に通過させる励起フィルタ１２２と、ダイクロイックミラー１２１により反射された成分から蛍光を選択的に通過させ、それ以外の波長成分を吸収する吸収フィルタ１２３とを備える。
【００３３】
ホールユニット１３は、反射ミラー１３１と、ガルバノミラー１３２と、複数のホール（貫通孔）１３４が配列されたピンホールアレイ１３３とを備える。反射ミラー１３１は、蛍光ユニット１２から出射した励起光を反射して、ガルバノミラー１３２に入射させる。ガルバノミラー１３２は、Ｘ軸回り及びＹ軸回りに回転可能なミラーであり、反射ミラー１３１を介して入射した励起光をＸＹ平面と直交する向きに偏向させ、複数のホール１３４を順次通過させる。ピンホールアレイ１３３は、複数のホール１３４の配列面がＸＹ平面と平行になるように設置されている。
【００３４】
図２は、ピンホールアレイ１３３の構造を示す一部断面斜視図である。ピンホールアレイ１３３は、複数のホール（貫通孔）１３４が形成された基材１３５と、各ホール１３４内に配置されたピンホール部材１３６とを有する。基材１３５は、金属や不透明な合成樹脂等の遮光材料により形成されている。各ホール１３４は柱状（例えば円柱状）をなし、中心軸が基材１３５の主面と直交するように形成されている。
【００３５】
ピンホール部材１３６は、中心に貫通孔（ピンホール）１３６ａが形成された円盤状（板状）の部材であり、金属や不透明な合成樹脂等の遮光材料によって形成されている。このピンホール部材１３６が嵌め込まれる深さ（基材１３５の厚み方向における位置）は、ホール１３４のＸＹ平面における位置に応じて設定されている。
【００３６】
ここで、各ホール１３４に入射した光は、ピンホール部材１３６に設けられたピンホール１３６ａを通過して、当該ホール１３４から出射する。従って、光のビーム径は、ピンホール１３６ａを通過する際に最小となる。以下においては、ホール１３４に入射した光（励起光又は蛍光）のビーム径がＺ方向において最小となる位置のことをピンホール位置という。
【００３７】
図２において、ピンホール部材１３６は３つのピンホール位置に嵌め込まれている。以下においては、ホール１３４を、ピンホール位置に応じて３種のホール１３４ａ、１３４ｂ、１３４ｃと区別することがある。これらのホール１３４ａ、１３４ｂ、１３４ｃの間においては、ピンホール１３６ａの開口径が同一で、ピンホール位置と対物レンズ１４との距離が互いに異なっている。各ホール１３４ａ、１３４ｂ、１３４ｃのピンホール位置と対物レンズ１４との距離は特に限定されず、ピンホールアレイ１３３又は対物レンズ１４のＺ方向における位置を変化させることにより適宜調節することができる。なお、ホール１３４ａ、１３４ｂ、１３４ｃのいずれかのピンホール位置を、対物レンズ１４の焦点面に合わせても良い。
【００３８】
また、ＸＹ平面におけるホール１３４ａ、１３４ｂ、１３４ｃの配置は特に限定されないが、各種のホール１３４ａ、１３４ｂ、１３４ｃをできるだけ均等に配置すると良い。図２においては、３種類のホール１３４ａ、１３４ｂ、１３４ｃを順繰りに配置している。
【００３９】
ホールユニット１３は、後述する画像処理装置１７が備える制御部１７６の制御に従い、レーザ光源１１のパルス周期と同期してガルバノミラー１３２を駆動し、蛍光ユニット１２から出射した励起光によりピンホールアレイ１３３を走査する。それにより、励起光Ｌ２が、ピンホール位置が異なる複数種類のホール１３４ａ、１３４ｂ、１３４ｃのいずれかを順次通過する。また、ホールユニット１３は、試料ＳＰにおいて発生し、対物レンズ１４を経て複数のホール１３４のいずれかを通過した蛍光を含む光Ｌ３をガルバノミラー１３２及び反射ミラー１３１によって偏向し、蛍光ユニット１２に入射させる。
【００４０】
再び図１を参照すると、対物レンズ１４は、ホールユニット１３から出射した励起光Ｌ２を集光して試料ＳＰに照射すると共に、試料ＳＰにおいて発生した蛍光を含む光Ｌ３を集光してホールユニット１３に入射させる。
【００４１】
撮像部１６は、所謂ライトフィールドカメラ（参考：Ren.Ng、他、「Light  Field  Photography  with  a  Hand-held  Plenoptic  Camera」、Stanford  Tech  Report  CTSR  2005-02）であり、撮像部１６に入射した蛍光の像を、蛍光の光路、即ち、該蛍光が通過したホール１３４ａ、１３４ｂ、１３４ｃのＸＹ平面における位置に応じて分離して記録する。
【００４２】
図３は、撮像部１６の構成例を示す模式図である。撮像部１６は、該撮像部１６に入射した蛍光を結像する撮像レンズ１６１と、撮像レンズ１６１と平行に配置されたマイクロレンズアレイ１６２と、マイクロレンズアレイ１６２の背面側に、マイクロレンズアレイ１６２と平行に配置された撮像素子１６３とを有する。図３においては、撮像レンズ１６１の光軸方向をｚ方向とし、ｚ方向と直交する平面をｘｙ平面としている。
【００４３】
撮像レンズ１６１は、その焦点面が対物レンズ１４の焦点面と共役の関係になるように配置されている。この撮像レンズ１６１の焦点面近傍に、マイクロレンズアレイ１６２が配置されている。
【００４４】
マイクロレンズアレイ１６２は、ｘｙ平面に沿って２次元的に配列された複数のマイクロレンズ１６２ａを有する。各マイクロレンズ１６２ａは、撮像レンズ１６１を介して入射した蛍光を、撮像レンズ１６１への入射方向及び該蛍光が通過した撮像レンズ１６１の瞳領域に応じた方向に出射する。つまり、撮像レンズ１６１及びマイクロレンズアレイ１６２は、撮像部１６に入射した蛍光を、該蛍光の入射方向及び入射位置、言い換えると、該蛍光が通過したホール１３４の位置に応じた方向に出射させる方向分離光学系である。
【００４５】
撮像素子１６３は、複数の画素１６３ａが２次元的に配列された受光面を有し、ＣＣＤやＣＭＯＳ等の固体撮像素子によって構成されている。撮像素子１６３は、Ｒ（赤）、Ｇ（緑）、Ｂ（青）の各バンドにおける画素レベル（画素値）を持つカラー画像の撮像機能を備え、後述する画像処理装置１７が備える制御部１７６の制御に従って、所定のタイミングで動作する。
【００４６】
撮像部１６に入射した蛍光は、撮像レンズ１６１及びマイクロレンズアレイ１６２により、入射方向及び入射位置に応じた方向に導かれ、その方向に位置する画素１６３ａに入射する。各画素１６３ａは、受光した蛍光の強度に応じた電気信号（画像信号）を出力する。各マイクロレンズ１６２ａから各方向に出射した蛍光が入射する画素１６３ａは決まっているので、撮像素子１６３の各画素１６３ａから出力された画像信号から、撮像部１６に入射した蛍光の光路を推定することができる。
【００４７】
画像処理装置１７は、撮像部１６から出力された電気信号を処理することにより画像信号を生成する信号処理部１７１と、信号処理部１７１が生成した画像信号に基づいて所定の画像処理を実行することにより画像を作成する画像処理部１７２と、画像処理部１７２が作成した画像やその他の各種情報を記憶する記憶部１７３と、出力部１７４と、当該画像処理装置１７に対する命令や情報の入力を受け付ける操作部１７５と、これらの各部を統括的に制御する制御部１７６とを備える。
【００４８】
信号処理部１７１は、撮像部１６から出力された電気信号に対し、増幅、Ａ／Ｄ変換等の処理を施すことにより、デジタルの画像信号（以下、画像データという）を出力する。
【００４９】
画像処理部１７２は、信号処理部１７１が出力した画像データに対してホワイトバランス処理、デモザイキング、色変換、濃度変換（ガンマ変換）等の処理を施すことにより、表示用の画像データを生成する。また、画像処理部１７２は、この画像データに基づき、ピンホールアレイ１３３に設けられた各種ホール１３４ａ、１３４ｂ、１３４ｃのピンホール位置の共役面の画像、即ち、試料ＳＰにおける異なる複数のスライスの画像を作成すると共に、作成した画像を圧縮する圧縮処理や、異なる複数のスライスの画像を合成した合成画像を作成する合成処理等を実行する。さらに、画像処理部１７２は、生成した画像や合成画像に対し、被写体領域の検出処理や座標情報の関連付け等の処理を行っても良い。
【００５０】
記憶部１７３は、更新記録可能なフラッシュメモリ、ＲＡＭ、ＲＯＭ等の半導体メモリ、内蔵若しくはデータ通信端子で接続されたハードディスク、ＭＯ、ＣＤ−Ｒ、ＤＶＤ−Ｒ等の記録媒体及び該記録媒体への情報の書き込み及び読み取りを行う書込読取装置を含む記録装置等によって構成される。記憶部１７３は、画像処理部１７２が生成した焦点面ごとの画像や合成画像の画像データ及びその他関連情報を記憶する。
【００５１】
出力部１７４は、制御部１７６の制御の下で、画像処理部１７２が作成したスライスごとの画像やこれらの画像の合成画像、ユーザインタフェース画面等を、表示装置１８等の外部機器に出力する外部インタフェースである。
【００５２】
操作部１７５は、キーボード、各種ボタン、各種スイッチ等の入力デバイスや、マウスやタッチパネル等のポインティングデバイスを含み、ユーザにより外部からなされた操作に応じた信号を制御部１７６に入力する。
【００５３】
制御部１７６は、操作部１７５から入力される各種命令や各種情報に基づき、観察システム１全体の動作を統括的に制御する。
【００５４】
なお、画像処理部１７２及び制御部１７６は、専用のハードウェアによって構成しても良いし、ＣＰＵ等のハードウェアに所定のプログラムを読み込むことによって構成しても良い。後者の場合、記憶部１７３は、さらに、観察システム１の動作を制御するための制御プログラムや、画像処理部１７２が実行する画像処理プログラムや、これらのプログラムの実行中に使用される各種パラメータ及び設定情報等を記憶する。
【００５５】
表示装置１８は、例えばＬＣＤ、ＥＬディスプレイ又はＣＲＴディスプレイ等によって構成され、画像処理装置１７から出力された画像等を表示する。
【００５６】
次に、観察システム１の動作について説明する。まず、観察システム１の電源をオンにして、ステージ１５に試料ＳＰを載置する。そして、制御部１７６の制御の下で、レーザ光源１１に所定のパルス周期でレーザ光Ｌ１を発生させると共に、このレーザ光Ｌ１のパルス周期と同期してガルバノミラー１３２を駆動させる。それにより、蛍光ユニット１２を介してレーザ光から抽出された励起光Ｌ２が、ピンホールアレイ１３３に設けられた複数のホール１３４を順次通過する。ホール１３４を通過した励起光Ｌ２は、対物レンズ１４によって集光され、試料ＳＰの物体面に照射されて蛍光を発生させる。この蛍光（光Ｌ３参照）は対物レンズ１４により集光され、先に励起光Ｌ２が通過したホール１３４を通過し、蛍光ユニット１２を介して撮像部１６に入射する。それにより、撮像部１６から画像処理装置１７に、蛍光の像を表す画像信号が出力される。
【００５７】
この一連の動作においては、撮像部１６の１回の露光期間内（１フレーム期間内）に、励起光Ｌ２が全てのホール１３４を１回ずつ通過するように制御がなされている。これは、ピンホールアレイ１３３に配列された各ホール１３４の位置に対応する試料ＳＰの領域から発生した蛍光が、１回の露光期間内に撮像部１６に入射することを意味する。つまり、１回の露光期間内に、ホール１３４の配列面全体に対応する試料ＳＰの領域に関する画像情報を取得することができる。
【００５８】
図４は、画像信号を取り込んだ後における画像処理装置１７の動作を示すフローチャートである。まず、ステップＳ１０において、画像処理装置１７は、撮像部１６から出力された画像信号に対して増幅、Ａ／Ｄ変換等の処理を施すことにより画像データを生成し、さらに、この画像データに対してホワイトバランス処理、デモザイキング、色変換、濃度変換（ガンマ変換）等の処理を施すことにより、表示用の画像データを取得する。
【００５９】
図５は、撮像部１６から出力された画像信号に基づく画像データによって表される画像領域Ｒを示す模式図である。この画像領域Ｒを構成する画素の位置は、撮像素子１６３の受光面に配列された画素１６３ａの位置に対応している。
【００６０】
ステップＳ１１において、画像処理部１７２は、画像領域Ｒをマイクロレンズアレイ１６２（図３参照）におけるマイクロレンズ１６２ａの配列に応じて、複数の小領域に分割する。図５に示す符号Ａ（ｍ，ｎ）は、画像領域Ｒ内における小領域の位置を示している。例えば、マイクロレンズアレイ１６２において、ｘ方向に５個、ｙ方向に５個の計２５個のマイクロレンズ１６２ａが配列されている場合、画像領域Ｒも同様に、５×５＝２５個の小領域に分割される（ｍ＝１〜５、ｎ＝１〜５）。つまり、画像領域Ｒ内の１つの小領域Ａ（ｍ，ｎ）には、１つのマイクロレンズ１６２ａから出射した蛍光の情報が記録される。
【００６１】
上述したように、撮像部１６に入射した蛍光は、撮像レンズ１６１に対する入射方向及び入射した位置（瞳領域）に応じた方向に位置するマイクロレンズ１６２ａに入射し、さらに、入射したマイクロレンズ１６２ａに対する入射方向に応じた方向に位置する画素１６３ａに入射する。従って、画像領域Ｒ内の各小領域Ａ（ｍ，ｎ）から、共通の瞳領域に関する情報が記憶された画素（例えば、各小領域Ａ（ｍ，ｎ）のセンターの画素ｐmn（３，３））を抽出し、抽出したこれらの画素の画素値を用いて演算を行うことで、撮像レンズ１６１の焦点面（マイクロレンズアレイ１６２の配置面）とは異なる仮想的な面（リフォーカス面とも呼ばれる）に合焦された画像を構成することができる（参考：ライトフィールドカメラの原理及びリフォーカス面における画像の構成については、Ren.Ng、他、「Light  Field  Photography  with  a  Hand-held  Plenoptic  Camera」、Stanford  Tech  Report  CTSR  2005-02）。
【００６２】
続くステップＳ１２において、画像処理部１７２は、画像領域Ｒ内の各画素と、当該画素に入射した蛍光が通過した光路における被写体距離（対物レンズ１４と物体面との距離）とを関連づけた距離マップを作成する。図６は、距離マップに格納される被写体距離を説明するための模式図である。なお、図６においては、説明の便宜上、各部の比率を図１と異ならせている。
【００６３】
図６に示すように、試料ＳＰにおいて発生した蛍光ＦＬの光路には、ピンホール位置が異なる複数種類のホール１３４ａ、１３４ｂ、１３４ｃのいずれかが配置されている。そのため、蛍光が通過したホール１３４ａ、１３４ｂ、１３４ｃにおけるピンホール位置の共役面が物体面Ｐ1、Ｐ2、Ｐ3となる。従って、蛍光が通過したホール１３４ａ、１３４ｂ、１３４ｃにおけるピンホール位置と対物レンズ１４との距離が被写体距離ｄ1、ｄ2、ｄ3として与えられる。
【００６４】
一方、画像領域Ｒ内の各画素の位置は、撮像素子１６３の画素１６３ａの位置と対応しており、各画素１６３ａに入射する蛍光の光路（通過したホール１３４の位置）は撮像レンズ１６１と各マイクロレンズ１６２ａとの位置関係により特定されているから、この位置関係に基づいて、画像領域Ｒ内の画素と被写体距離ｄ1、ｄ2、ｄ3とを関連づけることができる。
【００６５】
続くステップＳ１３において、画像処理部１７２は、ステップＳ１２において作成した距離マップをもとに、各物体面Ｐ1、Ｐ2、Ｐ3において発生した蛍光の画像を作成する。
【００６６】
図７は、リフォーカス面の画像の作成方法を説明するための模式図である。ここで、図３に示すように、試料ＳＰにおいて発生した蛍光は、撮像レンズ１６１に入射してマイクロレンズアレイ１６２上で結像する。図７においては、撮像レンズ１６１の光軸（ｚ軸）方向における座標をｚ＝０、撮像レンズ１６１の焦点面の座標をｚ＝Ｆ、ある物体面（物体面Ｐ1、Ｐ2、Ｐ3のいずれか）と共役の像面（リフォーカス面）の座標をｚ＝αＦ（０＜α＜１）としている。なお、撮像レンズ１６１の焦点面は、マイクロレンズアレイ１６２の配置面であり、対物レンズ１４の焦点面の共役面である。係数αは、リフォーカス面の座標を決定するための係数であり、対物レンズ１４の焦点距離に対する各物体面Ｐ1、Ｐ2、Ｐ3の被写体距離ｄ1、ｄ2、ｄ3の比率として与えられる。
【００６７】
なお、以下においては、理解を促進するため、リフォーカス面における画像のｘ方向における画素値の算出方法を説明するが、ｙ方向についても同様にして画素値を算出することができる。
【００６８】
撮像レンズ１６１における任意の瞳領域の座標（ｘ，ｚ）を（ｘ0，０）とし、この瞳領域を通過した蛍光がリフォーカス面上の点（ｘα，αＦ）を通過して、焦点面上の点（ｘ1，Ｆ）に到達したとする。このときの焦点面のｘ座標ｘ1は、次式（１）によって与えられる。
ｘ1＝ｘ0＋（ｘα−ｘ0）／α  …（１）
【００６９】
任意の瞳領域（ｘ＝ｘ0）及び焦点面上の点（ｘ＝ｘ1）を通過した蛍光が入射した画素１６３ａの出力値（蛍光の強度）をＩ（ｘ0，ｘ1）とすると、リフォーカス面上の点ｘαにおける出力値Ｉα（ｘα）は、出力値Ｉ（ｘ0，ｘ1）を撮像レンズ１６１の瞳領域に関して積分したものとなり、次式（２）によって与えられる。
【数１】
0006479041.tif 000002
【００７０】
式（２）における焦点距離Ｆ及び係数αは与えられているから、蛍光が通過した瞳領域ｘ＝ｘ0及び所望のリフォーカス面上の点ｘαを与えれば、式（１）より、蛍光が入射するマイクロレンズ１６２ａ（座標ｘ＝ｘ1）が特定される。そして、特定されたマイクロレンズ１６２ａを通過した蛍光が入射する画素１６３ａの配列から、瞳領域ｘ＝ｘ0を通過した蛍光が入射する画素１６３ａが特定される。この画素１６３ａの出力値は、上述した出力値Ｉ（ｘ0，ｘ1）に等しい。従って、ある瞳領域に関する画素１６３ａの出力値を積分する演算を、撮像レンズ１６１の全ての瞳領域に対して行うことにより、リフォーカス面Ｉα（ｘ）における画像を構成する各画素の画素値を算出することができる。なお、瞳領域ｘ＝ｘ0を撮像レンズ１６１の各瞳領域の代表座標とすれば、式（２）は、単純加算の式に書き換えることができる。
【００７１】
このようにして、リフォーカス面における画像を構成する各画素の画素値を算出することにより、リフォーカス面の画像を得ることができる。画像処理部１７２は、物体面Ｐ1、Ｐ2、Ｐ3に対応するリフォーカス面の画像を作成する。また、この際、画像処理部１７２はさらに、物体面Ｐ1、Ｐ2、Ｐ3に対応するリフォーカス面の画像を合成することにより、３Ｄ画像や全焦点画像を生成しても良い。
【００７２】
続くステップＳ１４において、画像処理部１７２は、ステップＳ１３において作成した画像の画像データを記憶部１７３に記憶させる。
【００７３】
続くステップＳ１５において、制御部１７６は、表示装置１８に表示させるリフォーカス面をユーザに選択させる画面（選択画面）を表示装置１８に表示させる。図８は、リフォーカス面をユーザに選択させる画面の一例を示す模式図である。図８に示す画面Ｍ１は、画像を作成したリフォーカス面に対応する物体面Ｐ1、Ｐ2、Ｐ3の被写体距離ｄ1、ｄ2、ｄ3をそれぞれ表すアイコンｍ１〜ｍ３と、ＯＫボタンｍ４とを含んでいる。
【００７４】
続くステップＳ１６において、制御部１７６は、リフォーカス面のいずれかを選択する選択信号が操作部１７５から入力されたか否かを判定する。例えばマウス等の入力デバイスを用いた画面Ｍ１に対するポインタ操作により、アイコンｍ１〜ｍ３のいずれかが選択され、さらにＯＫボタンｍ４に対する操作がなされると、選択されたアイコンの被写体距離に対応するリフォーカス面を選択する選択信号が入力される。なお、ステップＳ１３において３Ｄ画像や全焦点画像が作成された場合には、各リフォーカス面に加えて、３Ｄ画像や全焦点画像の表示を選択可能な構成としても良い。
【００７５】
リフォーカス面のいずれかを選択する選択信号が入力された場合（ステップＳ１６：Ｙｅｓ）、制御部１７６は入力された選択信号を画像処理部１７２に出力し、選択されたリフォーカス面の画像データを画像処理部１７２から出力部１７４を介して表示装置１８に出力させることで、表示装置１８に画像を表示させる（ステップＳ１７）。また、ステップＳ１３において３Ｄ画像や全焦点画像が作成され、ステップＳ１６においてこれらの画像の表示を選択する選択信号が入力された場合、制御部１７６は、選択された画像を表示装置１８に表示させる。
【００７６】
一方、選択信号が入力されない場合（ステップＳ１６：Ｎｏ）、制御部１７６は、選択画面の表示を継続し（ステップＳ１５）、選択信号のいずれかが入力されるまで待機する。或いは、この待機中に、制御部１７６は、予め設定された特定のリフォーカス面の画像を表示装置１８に表示させることとしても良い。具体的には、対物レンズ１４の焦点距離に最も近い被写体距離に対応するリフォーカス面の画像や、中央の被写体距離（例えば図６の場合、被写体距離ｄ2）に対応するリフォーカス面の画像や、最短の被写体距離（例えば図６の場合、被写体距離ｄ1）に対応するリフォーカス面の画像や、最長の被写体距離（例えば図６の場合、被写体距離ｄ3）に対応するリフォーカス面の画像等が挙げられる。
【００７７】
ステップＳ１８において、制御部１７６は、当該観察システムの終了を指示する信号が操作部１７５から入力されたか否かを判定する。終了を指示する信号が入力されない場合（ステップＳ１８：Ｎｏ）、制御部１７６の動作はステップＳ１５に戻る。一方、終了を指示する信号が入力された場合（ステップＳ１８：Ｙｅｓ）、制御部１７６は、当該観察システム１の動作を終了させる。
【００７８】
以上説明したように、本発明の実施の形態１においては、ピンホール位置が互いに異なる複数種類のホール１３４ａ、１３４ｂ、１３４ｃを通過し、１回の撮像期間内に撮像部１６に入射した蛍光を、該蛍光の入射方向及び入射位置に応じた方向に分離し、分離された方向に位置する画素１６３ａに記録する。そのため、各画素１６３ａの出力値を用いて演算を行うことにより、１回の撮像動作で、各ピンホール位置の共役面である試料ＳＰのスライスの画像を作成することができる。従って、生体の試料を観察する場合であっても、ＸＹ平面内における位置ずれを生じさせることなく、それぞれのスライスに精度よく合焦された複数の画像を取得することができる。また、これらの複数の画像を合成することにより、３Ｄ画像や全焦点画像を構成することも可能となる。
【００７９】
ここで、従来においては、複数のスライスの画像を作成する場合、試料に対して焦点面を順次ずらしながら繰り返し撮像を行っていたため、試料が繰り返し励起光に晒されることになり、試料に施された蛍光染色が褪色し易いという問題があった。これに対し、実施の形態１においては、１回の撮像動作で取得された画像信号に基づいて複数のスライスの画像を作成するので、試料ＳＰが励起光に晒される時間を短縮することができ、試料ＳＰに施された蛍光染色の褪色を抑制することも可能となる。
【００８０】
また、本発明の実施の形態１によれば、フェムト秒以下の超短パルスのレーザ光源１１を用いるので、生体の試料の深部（数百μｍオーダー）を観察することも可能となる。
【００８１】
また、本発明の実施の形態１によれば、複数のホール１３４を形成した基材１３５を作製し、これらのホール１３４内の異なる深さにピンホール部材１３６を嵌め込むことによりピンホール位置を変化させるので、ピンホールの開口径やピンホール位置を精密且つ簡単に制御することが可能となる。
【００８２】
なお、上記実施の形態１においては、ピンホールアレイ１３３におけるピンホール位置を３つとしたが、ピンホール位置の数はこれに限定されない。具体的には、ピンホール位置を２つとしても良いし、４つ以上としても良い。これらのピンホール位置に応じて、画像処理部１７２がリフォーカス面の画像を形成する際の係数αを設定すれば良い。
【００８３】
（変形例）
次に、本発明の実施の形態１の変形例について説明する。
上記実施の形態１においては、基材１３５に設けられたホール１３４の異なる深さにピンホール部材１３６を嵌め込んだピンホールアレイ１３３を用いたが、ホールユニット１３において利用可能なピンホールアレイの構成はこれに限定されない。図９は、本変形例に係るピンホールアレイの構造を示す模式図である。
【００８４】
図９に示すピンホールアレイ１９０は、複数のホール１９１ａが形成された基材１９１と、各ホール１９１ａ内に充填された光学部材１９２、１９３、１９４とを備える。光学部材１９２、１９３、１９４は、励起光及び蛍光が透過可能な透明部材であり、互いに異なる屈折率を有している。ガルバノミラー１３２によりホール１９１ａのいずれかに入射した励起光、及び、対物レンズ１４により集光された蛍光は、入射したホール１９１ａに充填された光学部材の屈折率に応じたＺ方向の位置に収束する。つまり、各ホール１９１ａに充填された光学部材１９２、１９３、１９４は、ピンホールと同様に作用する。本出願においては、このように光学部材によって光を収束させた場合、光路上において光のビーム径が最も小さくなった位置をピンホール位置という。
【００８５】
なお、本変形例においては、３種類の光学部材１９２、１９３、１９４を順繰りにホール１９１ａ内に充填することによりピンホール位置を３つ設定しているが、ピンホール位置は３つに限定されず、２つであっても良いし、４つ以上であっても良い。設定するピンホール位置に応じて、光学部材の屈折率を適宜選択すれば良い。
【００８６】
本変形例によれば、ピンホール位置が異なる複数種類のホールが設けられたピンホールアレイ１９０を、簡単且つ精度良く作製することが可能となる。
【００８７】
（実施の形態２）
次に、本発明の実施の形態２について説明する。
図１０は、本発明の実施の形態２に係る観察システムの構成を示す模式図である。図１０に示すように、実施の形態２に係る観察システム２は、顕微鏡システム２０と、顕微鏡システム２０から出力された画像信号に対して各種処理を行う画像処理装置１７と、表示装置１８とを備える。このうち、画像処理装置１７及び表示装置１８の構成及び動作は、実施の形態１と同様である。
【００８８】
顕微鏡システム２０は、図１に示すレーザ光源１１の代わりにレーザ光源２１を備えると共に、図１に示すホールユニット１３の代わりに、ホールユニット２２を備える。レーザ光源２１及びホールユニット２２以外の顕微鏡システム２０の各部の構成は、図１に示す顕微鏡システム１０と同様である。
【００８９】
レーザ光源２１は、レーザ光源１１と同様に、試料ＳＰを励起可能な波長帯域の成分（励起光）を含むパルスレーザ光源であるが、レーザ光源１１と比べて大きいビーム径を有するレーザ光Ｌ４を発生する。
【００９０】
ホールユニット２２は、ピンホール位置が互いに異なる複数種類のホールが配列されたニポウディスク２２０と、該ニポウディスク２２０を回転軸Ｒ0回りに回転させるモータ２３０とを備える。
【００９１】
図１１は、ニポウディスク２２０の構造を示す模式図である。ニポウディスク２２０は、複数のホール２２２、２２３が形成された円盤状をなす基材２２１と、各ホール２２２内に充填された光学部材２２４と、各ホール２２３内に充填された光学部材２２５とを備える。ホール２２２及びホール２２３は、それぞれ、基材２２１の主面に螺旋状に配列されている。なお、図１１においては、ホール２２２からなる螺旋状の列とホール２２３からなる螺旋状の列とを１つずつ設けているが、これらの列を複数ずつ設けても良い。
【００９２】
光学部材２２４、２２５は、励起光及び蛍光が透過可能な透明部材であり、互いに異なる屈折率を有している。ホール２２２、２２３のいずれかに入射した励起光及び蛍光は、そのホールに充填された光学部材の屈折率に応じた位置（ピンホール位置）に収束する。
【００９３】
試料ＳＰを撮像する際には、レーザ光源２１からパルス的にレーザ光Ｌ４を発生させ、このパルス周期と同期させて、モータ２３０によりニポウディスク２２０を所定の速度で回転させる。それにより、蛍光ユニット１２から出射した励起光が、複数のホール（ホール２２２若しくは２２３、又はその両方）に同時に入射し、入射したホールに充填された光学部材（光学部材２２４又は２２５）を通過して一旦収束する。その後、励起光は再び拡大し、対物レンズ１４に集光されて試料ＳＰの複数点を同時に照射する。また、試料ＳＰの複数点において発生した蛍光は、対物レンズ１４を通過してニポウディスク２２０の複数のホール（ホール２２２若しくは２２３、又はその両方）に入射し、入射したホールに充填された光学部材（光学部材２２４又は２２５）により一旦収束された後再び拡大し、蛍光ユニット１２を介して撮像部１６に入射する。
【００９４】
この一連の動作においては、撮像部１６の１回の露光期間内に、ニポウディスク２２０に設けられたホール２２２、２２３が、レーザ光源２１から出射したレーザ光Ｌ４の断面領域を網羅するように制御がなされている。即ち、１回の露光期間内に、レーザ光Ｌ４の断面領域全体に対応する試料ＳＰの領域に関する画像情報を取得することができる。
【００９５】
このような本発明の実施の形態２の構成によれば、試料ＳＰの複数点に励起光を同時に照射（マルチビーム照射）することができるので、実施の形態１よりも短時間で試料ＳＰを撮像することが可能となる。従って、試料ＳＰに関する３次元画像情報におけるＸＹ平面内での試料ＳＰの位置ずれをさらに低減することが可能となる。
【００９６】
また、本発明の実施の形態２によれば、基材２２１に形成したホール２２２、２２３に屈折率の異なる光学部材２２４、２２５をそれぞれ充填することにより、複数のピンホール位置を有するニポウディスク２２０を簡単且つ精度良く作製することが可能となる。
【００９７】
（実施の形態３）
次に、本発明の実施の形態３について説明する。
図１２は、本発明の実施の形態３に係る観察システムの構成を示す模式図である。図１２に示すように、実施の形態３に係る観察システム３は、顕微鏡システム３０と、該顕微鏡システム３０から出力された画像信号に対して各種処理を行う画像処理装置１７と、表示装置１８とを備える。このうち、画像処理装置１７及び表示装置１８の構成及び動作は、実施の形態１と同様である。
【００９８】
顕微鏡システム３０は、図１０に示すホールユニット２２の代わりに、ホールユニット３１を備える。ホールユニット３１以外の顕微鏡システム３０の各部の構成は、図１０に示す顕微鏡システム２０と同様である。
【００９９】
ホールユニット３１は、互いに平行に配置されたマイクロレンズアレイ３１０及びニポウディスク３２０と、マイクロレンズアレイ３１０及びニポウディスク３２０を回転軸Ｒ1回りに回転させるモータ３３０とを備える。
【０１００】
図１３は、マイクロレンズアレイ３１０の構造を示す模式図である。マイクロレンズアレイ３１０は、複数のホール３１２、３１３が形成された円盤状をなす基材３１１と、各ホール３１２に嵌め込まれたマイクロレンズ３１４と、各ホール３１３に嵌め込まれたマイクロレンズ３１５とを備える。ホール３１２及びホール３１３は、それぞれ、基材３１１の主面に螺旋状に配列されている。なお、図１３においては、ホール３１２からなる螺旋状の列とホール３１３からなる螺旋状の列とを１つずつ設けているが、これらの列を複数ずつ設けても良い。
【０１０１】
マイクロレンズ３１４、３１５は、屈折率が互いに異なる光学部材により形成されている。ホール３１２、３１３のいずれかに入射した励起光及び蛍光は、そのホールに嵌め込まれたマイクロレンズ３１４、３１５の屈折率に応じた焦点面に結像する。
【０１０２】
図１４は、ニポウディスク３２０の構造を示す模式図である。ニポウディスク３２０は、複数のホール３２２、３２３が形成された基材３２１と、各ホール３２２、３２３に嵌め込まれたピンホール部材３２４とを備える。ピンホール部材３２４は、中心に貫通孔（ピンホール）３２４ａが形成された円盤状の部材であり、金属や不透明な合成樹脂等の遮光材料によって形成されている。ピンホール部材３２４は、ホール３２２、３２３ごとに異なる深さに嵌め込まれている。なお、図１４においては、ホール３２２からなる螺旋状の列とホール３２３からなる螺旋状の列とを１つずつ設けているが、これらの列を、マイクロレンズアレイ３１０のホール３１２、３１３に合わせて複数ずつ設けても良い。
【０１０３】
マイクロレンズアレイ３１０とニポウディスク３２０とは、ホール３１２とホール３２２とが対向し、ホール３１３とホール３２３とが対向するように、蛍光ユニット１２を挟んで互いに平行に配置されている。また、マイクロレンズアレイ３１０とニポウディスク３２０との間隔は、マイクロレンズ３１４の焦点が対向するホール３２２のピンホール位置と一致し、マイクロレンズ３１５の焦点が対向するホール３２３のピンホール位置と一致するように設定されている。それにより、マイクロレンズ３１４、３１５により集光されたレーザ光から抽出されて励起光が、ホール３２２、３２３のピンホール位置において収束し、ここを通過する。
【０１０４】
試料ＳＰを撮像する際には、レーザ光源２１からパルス的にレーザ光Ｌ４を発生させ、このパルス周期と同期させて、モータ３３０によりマイクロレンズアレイ３１０及びニポウディスク３２０を共に回転させる。それにより、マイクロレンズアレイ３１０に設けられた複数のマイクロレンズによってレーザ光が集光され、蛍光ユニット１２を介して励起光がニポウディスク３２０の複数のホールに同時に入射する。この励起光は、入射した各ホールのピンホール位置において一旦収束した後再び拡大し、対物レンズ１４に集光されて試料ＳＰの複数点を同時に照射する。また、試料ＳＰの複数点において発生した蛍光は、対物レンズ１４を通過してニポウディスク３２０の複数のホールに入射し、入射したホールのピンホール位置において一旦収束した後再び拡大し、蛍光ユニット１２を介して撮像部１６に入射する。
【０１０５】
この一連の動作においては、撮像部１６の１回の露光期間内に、マイクロレンズアレイ３１０に設けられたホール３１２、３１３及びニポウディスク３２０に設けられたホール３２２、３２３が、レーザ光源２１から出射したレーザ光Ｌ４の断面領域を網羅するように制御がなされている。即ち、１回の露光期間内に、レーザ光Ｌ４の断面領域全体に対応する試料ＳＰの領域に関する画像情報を取得することができる。
【０１０６】
このような実施の形態３の構成によっても、試料ＳＰの複数点に励起光を同時に照射（マルチビーム照射）することができるので、実施の形態１よりも短時間で試料ＳＰを撮像することが可能となる。従って、試料ＳＰに関する３次元画像情報におけるＸＹ平面内での試料ＳＰの位置ずれをさらに低減することが可能となる。また、実施の形態３によれば、マイクロレンズ３１４、３１５を用いることにより、より強度の強い励起光を試料ＳＰに照射することができるので、より鮮明な蛍光の像を得ることが可能となる。
【０１０７】
また、実施の形態３においては、屈折率が異なる光学材料を用いてマイクロレンズ３１４、３１５を形成するので、焦点距離が異なる複数種類のマイクロレンズが配列されたマイクロレンズアレイディスクを、簡単且つ精度良く作製することが可能となる。
【０１０８】
（実施の形態４）
次に、本発明の実施の形態４について説明する。
図１５は、本発明の実施の形態４に係る観察システムの構成を示す模式図である。図１５に示すように、実施の形態４に係る観察システム４は、顕微鏡システム４０と、該顕微鏡システム４０から出力された画像信号に対して各種処理を行う画像処理装置１７と、表示装置１８とを備える。このうち、画像処理装置１７及び表示装置１８の構成及び動作は、実施の形態１と同様である。
【０１０９】
顕微鏡システム４０は、図１に示すレーザ光源１１の代わりにレーザ光源４１を備えると共に、図１に示すホールユニット１３の代わりに、ホールユニット４２を備える。レーザ光源４１及びホールユニット４２以外の顕微鏡システム４０の各部の構成は、図１に示す顕微鏡システム１０と同様である。
【０１１０】
レーザ光源４１は、レーザ光源１１と同様に、試料ＳＰを励起可能な波長帯域の成分（励起光）を含むパルスレーザ光源であるが、レーザ光源１１と比べて大きいビーム径を有するレーザ光Ｌ５を発生する。
【０１１１】
ホールユニット４２は、反射ミラー１３１と、デジタルミラーデバイス（ＤＭＤ）４２１と、ピンホールアレイ１３３とを備える。このうち、反射ミラー１３１及びピンホールアレイ１３３の構成は、実施の形態１と同様である。
【０１１２】
デジタルミラーデバイス４２１は、反射機能のオンオフ制御が可能な複数のマイクロミラーが設けられたＭＥＭＳ機器である。複数のマイクロミラーはそれぞれ、反射ミラー１３１を介して入射する励起光を、ピンホールアレイ１３３に設けられた複数のホール１３４に向けて反射可能な向きに設置されている。これらのピンホールは、数個置きにグルーピングされ、グループごとに反射機能がオンオフされるように制御されている。
【０１１３】
試料ＳＰを撮像する際には、レーザ光源４１からパルス的にレーザ光Ｌ５を発生させ、このパルス周期と同期させて、デジタルミラーデバイス４２１に設けられた複数のマイクロミラーを、グループごとに順次オンにする。それにより、オンにされたマイクロミラーに反射された励起光が、対応するホール１３４を通過し、対物レンズ１４により集光されて試料ＳＰの複数点を同時に照射する。また、試料ＳＰの複数点において発生した蛍光は対物レンズ１４を経て複数のホール１３４を同時に通過し、オンにされたマイクロミラー及び蛍光ユニット１２を介して撮像部１６に入射する。
【０１１４】
この一連の動作においては、撮像部１６の１回の露光期間内に、蛍光ユニット１２から出射した励起光が全てのホール１３４を１回ずつ通過するように、マイクロミラーのグルーピング及びオンオフの制御がなされている。即ち、１回の露光期間内に、ホール１３４の配列面全体に対応する試料ＳＰの領域に関する画像情報を取得することができる。
【０１１５】
このような実施の形態４の構成によれば、励起光を入射させるホール１３４を電子制御により切り替えることができるので、実施の形態１〜３よりもさらに短時間で試料ＳＰを撮像することが可能となる。従って、試料ＳＰに関する３次元画像情報におけるＸＹ平面内での試料ＳＰの位置ずれをさらに低減することが可能となる。
【０１１６】
（実施の形態５）
次に、本発明の実施の形態５について説明する。
図１６は、本発明の実施の形態５に係る内視鏡システムの構成例を示す模式図である。図１６に示す内視鏡システム５は、図１に示す観察システムの一態様であり、被検体の体内に挿入されて撮像を行って画像信号を生成する内視鏡５０と、内視鏡５０の先端から出射する照明光を発生する光源部６０と、内視鏡５０が生成した画像信号に基づいて画像を生成する画像処理装置１７と、画像処理装置１７が生成した画像を表示する表示装置１８とを備える。このうち、画像処理装置１７及び表示装置１８の構成及び動作は、実施の形態１と同様である。また、光源部６０は、励起光を含むパルスレーザ光源であるが、レーザ光源１１と比べて大きいビーム径を有するレーザ光を発生する。
【０１１７】
内視鏡５０は、可撓性を有する細長形状をなす挿入部５１と、挿入部５１の基端側に接続され、各種の操作信号の入力を受け付ける操作部５２と、操作部５２から挿入部５１が延びる方向と異なる方向に延び、画像処理装置１７及び光源部６０と接続する各種ケーブルを内蔵するユニバーサルコード５３とを備える。
【０１１８】
挿入部５１は、先端部５４と、複数の湾曲駒によって構成された湾曲自在な湾曲部５５と、湾曲部５５の基端側に接続され、可撓性を有する長尺状の可撓針管５６とを有する。この挿入部５１の先端部５４に、蛍光ユニット１２、ホールユニット４２、対物レンズ１４、及び撮像部１６（図１５参照）が設けられている。なお、先端部５４に対物レンズ１４が設けられていれば、蛍光ユニット１２、ホールユニット４２、及び撮像部１６については、先端部５４側と操作部５２側とのいずれに設けても良い。例えば、これらの各部のうち、対物レンズ１４のみを先端部５４に設け、蛍光ユニット１２、ホールユニット４２、及び撮像部１６を操作部５２側に設けても良い。
【０１１９】
操作部５２と先端部５４との間には、画像処理装置１７との間で電気信号の送受信を行う複数の信号線が束ねられた集合ケーブルと、光を伝送するライトガイドとが接続されている。複数の信号線には、撮像素子１６３（図３参照）が出力した画像信号を画像処理装置１７に伝送する信号線及び画像処理装置１７が出力する制御信号を撮像素子１６３に伝送する信号線等が含まれる。
【０１２０】
操作部５２は、湾曲部５５を上下方向及び左右方向に湾曲させる湾曲ノブ５２１と、生検針、生体鉗子、レーザメス、及び検査プローブ等の処置具を挿入する処置具挿入部５２２と、画像処理装置１７、光源部６０に加えて、送気手段、送水手段、送ガス手段等の周辺機器の操作指示信号を入力する操作入力部である複数のスイッチ５２３と、を有する。
【０１２１】
ユニバーサルコード５３は、ライトガイド及び集合ケーブルを少なくとも内蔵している。また、ユニバーサルコード５３の操作部５２に連なる側と異なる側の端部には、光源部６０に着脱自在なコネクタ部５７と、コイル状をなすコイルケーブル５７０を介してコネクタ部５７と電気的に接続され、画像処理装置１７と着脱自在な電気コネクタ部５８とが設けられている。撮像素子１６３から出力された画像信号は、コイルケーブル５７０及び電気コネクタ部５８を介して画像処理装置１７に入力される。
【０１２２】
上記実施の形態５においては、図１５に示す観察システム４を生体用の内視鏡システムに適用する例を説明したが、図１、図１０、図１２に示す観察システム１、２、３を内視鏡システムに適用しても良い。また、これらの観察システム１〜４を工業用の内視鏡システムに適用しても良い。
【０１２３】
本発明は、上述した各実施の形態１〜５及び変形例そのままに限定されるものではなく、各実施の形態１〜５及び変形例に開示されている複数の構成要素を適宜組み合わせることによって、種々の発明を形成することができる。例えば、実施の形態１〜５及び変形例に示される全構成要素からいくつかの構成要素を除外して形成してもよい。或いは、異なる実施の形態に示した構成要素を適宜組み合わせて形成してもよい。
【符号の説明】
【０１２４】
１、２、３、４  観察システム
５  内視鏡システム
１０、２０、３０、４０  顕微鏡システム
１１、２１、４１  レーザ光源
１２  蛍光ユニット
１３、２２、３１、４２  ホールユニット
１４  対物レンズ
１５  ステージ
１６  撮像部
１７  画像処理装置
１８  表示装置
５０  内視鏡
５１  挿入部
５２  操作部
５３  ユニバーサルコード
５４  先端部
５５  湾曲部
５６  可撓針管
５７  コネクタ部
５８  電気コネクタ部
６０  光源部
１２１  ダイクロイックミラー
１２２  励起フィルタ
１２３  吸収フィルタ
１３１  反射ミラー
１３２  ガルバノミラー
１３３、１９０  ピンホールアレイ
１３４、１３４ａ、１３４ｂ、１３４ｃ、１９１ａ、２２２、２２３、３１２、３１３、３２２、３２３  ホール
１３５、１９１、２２１、３１１、３２１  基材
１３６、３２４  ピンホール部材
１３６ａ、３２４ａ  貫通孔（ピンホール）
１６１  撮像レンズ
１６２、３１０  マイクロレンズアレイ
１６２ａ、３１４、３１５  マイクロレンズ
１６３  撮像素子
１６３ａ  画素
１７１  信号処理部
１７２  画像処理部
１７３  記憶部
１７４  出力部
１７５  操作部
１７６  制御部
１９２、１９３、１９４、２２４、２２５  光学部材
２２０、３２０  ニポウディスク
２３０、３３０  モータ
４２１  デジタルミラーデバイス
５２１  湾曲ノブ
５２２  処置具挿入部
５２３  スイッチ
５７０  コイルケーブル
【図１】
0006479041.tif 000003
【図２】
0006479041.tif 000004
【図３】
0006479041.tif 000005
【図４】
0006479041.tif 000006
【図５】
0006479041.tif 000007
【図６】
0006479041.tif 000008
【図７】
0006479041.tif 000009
【図８】
0006479041.tif 000010
【図９】
0006479041.tif 000011
【図１０】
0006479041.tif 000012
【図１１】
0006479041.tif 000013
【図１２】
0006479041.tif 000014
【図１３】
0006479041.tif 000015
【図１４】
0006479041.tif 000016
【図１５】
0006479041.tif 000017
【図１６】
0006479041.tif 000018